【手続補正書】
【提出日】平成25年7月24日(2013.7.24)
【手続補正１】
【補正対象書類名】特許請求の範囲
【補正対象項目名】全文
【補正方法】変更
【補正の内容】
【特許請求の範囲】
【請求項１】
第１の絶縁基板と、
前記第１の絶縁基板上に実質的に第１の方向に互いに平行するように配値されたゲート配線およびストレージ配線と、
前記ゲートおよびストレージ配線と絶縁されて交差し、実質的に第２の方向に配値されたデータ配線と、
前記データ配線上に形成された保護膜と、
前記保護膜上に形成された第１の画素電極と、
前記ゲート配線と隣接する隣接画素の一対の前記ストレージ配線を互いに電気的に接続するブリッジ電極を含み、
前記ストレージ配線は、実質的に前記第１の方向に配値された水平部および前記水平部から実質的に第２の方向に分枝し、前記データ配線とオーバーラップする垂直部を含むことを特徴とする液晶表示装置。
【請求項２】
前記ブリッジ電極は、前記水平部前記一対のストレージ配線のうち何れか一つの水平部と前記一対のストレージ配線のうち他の一つの垂直部を電気的に接続することを特徴とする請求項１に記載の液晶表示装置。
【請求項３】
前記ブリッジ電極および前記画素電極は、実質的に同一な物質からなり、実質的に同一な層に形成されることを特徴とする請求項１に記載の液晶表示装置。
【請求項４】
前記ブリッジ電極は、ITO又はIZOからなることを特徴とする請求項３に記載の液晶表示装置。
【請求項５】
前記ブリッジ電極を含む前記画素の前記画素電極は、前記ブリッジ電極を含まない他の画素の他の画素電極より小さいことを特徴とする請求項１に記載の液晶表示装置。
【請求項６】
前記ブリッジ電極は、前記画素電極の隅を部分的に切断することによって前記ブリッジ電極を含む前記画素の画素電極と離隔されることを特徴とする請求項１に記載の液晶表示装置。
【請求項７】
前記ブリッジ電極は、前記一対のストレージ配線のうち何れか一つの水平部と前記一対のストレージ配線のうち他の一つの垂直部を、ブリッジ電極コンタクトホールを介して電気的に接続することを特徴とする請求項１に記載の液晶表示装置。
【請求項８】
前記保護膜は、無機物質からなることを特徴とする請求項１に記載の液晶表示装置。
【請求項９】
前記無機物質は、窒化シリコン又は酸化シリコン含むことを特徴とする請求項８に記載の液晶表示装置。
【請求項１０】
前記保護膜は、有機物質からなることを特徴とする請求項１に記載の液晶表示装置。
【請求項１１】
前記第１の絶縁基板と対向する第２絶縁基板と、
前記第２の絶縁基板上に形成されるブラックマトリックスを含み、
前記ブラックマトリックスは、垂直部の少なくとも一部とオーバーラップすることを特徴とする請求項１に記載の液晶表示装置。
【請求項１２】
前記垂直部は、前記ブラックマトリックスの幅と実質的に同一な幅を有することを特徴とする請求項１１に記載の液晶表示装置。
【請求項１３】
前記第２の絶縁基板の前記ブラックマトリックス上に形成される共通電極をさらに含むことを特徴とする請求項１２に記載の液晶表示装置。
【請求項１４】
前記ゲート配線と前記データ配線は、前記画素領域に対応するカラーフィルタの種類に応じて赤色画素領域、緑色画素領域、又は青色画素領域に定義された画素領域を定義し、前記ブリッジ電極は、前記赤色画素領域又は前記緑色画素領域又は前記青色画素領域上のうち少なくとも一つの領域上に形成されることを特徴とする請求項１に記載の液晶表示装置。
【請求項１５】
前記ブリッジ電極は、前記青色画素領域上に形成されることを特徴とする請求項１４に記載の液晶表示装置。
【請求項１６】
前記ブリッジ電極は、前記水平部の前記一対のストレージ配線のうち何れか一つの水平部と前記一対のストレージ配線のうち他の一つの垂直部を電気的に接続することを特徴とする請求項１４に記載の液晶表示装置。
【請求項１７】
前記ブリッジ電極および前記画素電極は、実質的に同一な物質からなり、実質的に同一な層に形成されることを特徴とする請求項１５に記載の液晶表示装置。
【請求項１８】
前記ブリッジ電極は、ITO又はIZOからなることを特徴とする請求項１６に記載の液晶表示装置。
【請求項１９】
前記ブリッジ電極を含む前記画素の前記画素電極は、前記ブリッジ電極を含まない他の画素の他の画素電極より小さいことを特徴とする請求項１５に記載の液晶表示装置。
【請求項２０】
前記ブリッジ電極は、前記画素電極の隅を部分的に切断することによって前記ブリッジ電極を含む前記画素の画素電極と離隔されることを特徴とする請求項１５に記載の液晶表示装置。
【請求項２１】
前記ブリッジ電極は、前記一対のストレージ配線のうち何れか一つの水平部と前記一対のストレージ配線のうち他の一つの垂直部を、ブリッジ電極コンタクトホールを介して電気的に接続することを特徴とする請求項１５に記載の液晶表示装置。
【請求項２２】
前記保護膜は、無機物質からなることを特徴とする請求項１５に記載の液晶表示装置。
【請求項２３】
前記無機物質は、窒化シリコン又は酸化シリコン含むことを特徴とする請求項２２に記載の液晶表示装置。
【請求項２４】
前記保護膜は、有機物質からなることを特徴とする請求項１５に記載の液晶表示装置。
【請求項２５】
前記有機物質は、a-Si：C：O又はa-Si：O：Fを含む低誘電率絶縁物質からなることを特徴とする請求項２４に記載の液晶表示装置。
【請求項２６】
前記第１の絶縁基板と対向する第２の絶縁基板と、
前記第２の絶縁基板上に形成されるブラックマトリックスを含み、
前記ブラックマトリックスは、垂直部の少なくとも一部分とオーバーラップすることを特徴とする請求項１５に記載の液晶表示装置。
【請求項２７】
前記垂直部は、前記ブラックマトリックスの幅と実質的に同一な幅を有することを特徴とする請求項２６に記載の液晶表示装置。
【請求項２８】
前記第２の絶縁基板の前記ブラックマトリックス上に形成された共通電極をさらに含み、
前記ブラックマトリックスは、前記データ配線とオーバーラップする領域で前記共通電極とコンタクトする共通電極をさらに含むことを特徴とする請求項２７に記載の液晶表示装置。
【請求項２９】
第１の絶縁基板と、
前記第１の絶縁基板上に実質的に第１の方向に互いに平行するように配値されたゲート配線およびストレージ配線と、
前記ゲートおよびストレージ配線と絶縁されて交差し、実質的に第２の方向に配値されたデータ配線と、
前記データ配線上に形成された保護膜と、
前記保護膜上に形成された第１の画素電極と第２の画素電極と、
前記第１の絶縁基板と対向する第２の絶縁基板と、
前記第２の絶縁基板上に形成され、前記画素領域を区画するブラックマトリックスを含み、
前記ストレージ配線は、実質的に前記第１の方向に配置された水平部、および前記水平部から実質的に前記第２の方向に分地され、前記データ配線とオーバーラップする垂直部を含み、
前記ブラックマトリックスは、前記第１の画素電極および第２の画素電極とオーバーラップし、
前記第１の画素電極と前記垂直部がオーバーラップする幅は、前記第２の画素電極および前記垂直部の間のオーバーラップする幅と実質的に同一であることを特徴とする液晶表示装置。
【請求項３０】
前記ブラックマトリックスは、前記垂直部と実質的に同一な幅を有することを特徴とする請求項２９に記載の液晶表示装置。
【請求項３１】
前記第２の絶縁基板の前記ブラックマトリックス上に形成された共通電極をさらに含み、
前記ブラックマトリックスは、前記データ配線とオーバーラップする領域で前記共通電極とコンタクトすることを特徴とする請求項２９に記載の液晶表示装置。